(57)【要約】【課題】部屋や建物等の現在の状況のみならず、個々の入室者ごとに入退室管理対象エリアから入知る者が受ける影響を考慮して入退室を管理することができる入退室管理システムを提供する。【解決手段】中央監視装置３が監視するクリティカルエリアに入室する場合、入室者は、ＩＣカードを入口または入口付近に配設されているカードリーダライタ１にかざすなどの入室操作をすることにより、ＩＣカードに記録されている情報を読み出させる。制御装置２は、カードリーダライタ３を介して読み込んだ前回の残留要素値および退室時刻と現在時刻とから現時点での残留要素値を演算し、この演算結果に基づいて在室可能時間を算出し、表示部１ｂに表示する。また、制御装置２は、ＩＣカードに現時点での残留要素値と入室時刻を書き込み、これらの情報と在室可能時間を中央監視装置３に送出し、入口の電気錠を解錠する。この際、算出された在室可能時間が所定の値に達しない場合、制御装置２は、入口の電気錠を解錠しない。【選択図】　　　　図１
2004005134.tif 000002
【特許請求の範囲】
【請求項１】
所定の環境を有するエリアへの入退室を管理する入退室管理システムにおいて、
所持者の各種情報を記録する記録媒体と、
この記録媒体に情報を読み書きするリーダライタと、
このリーダライタが前記記録媒体より読み出した情報に基づいて、時間とともに所定の環境への暴露によって増大し隔離によって時間とともに減少する残留要素値を算出し、この値に基づいて前記所持者の前記エリアへの入室の可否を判定する判定手段と
を備えたことを特徴とする入退室管理システム。
【請求項２】
請求項１記載の入退室管理システムにおいて、
前記所持者の前記エリアへの入室を許可すると、前記判定手段が算出した残留要素値と前記所持者の入室時刻とを前記リーダライタが前記記録媒体に書き込むとともに、前記エリアの入口の扉を解錠する制御手段を
さらに備えたことを特徴とする入退室管理システム。
【請求項３】
請求項２記載の入退室管理システムにおいて、
前記制御手段は、前記所持者が前記エリアから退室する際、前記リーダライタが前記記録媒体より読み出した情報に基づいて残留要素値を算出し、この残留要素値と退室時刻とを前記室内のリーダライタが前記記録媒体に書き込むとともに、前記エリアの出口の扉を解錠する
ことを特徴とする入退室管理システム。
【請求項４】
請求項１ないし３のいずれか１項に記載の入退室管理システムにおいて、
前記制御手段を管理する中央監視装置をさらに備え、
前記制御手段は、記録媒体の所持者が入室する際、前記記録媒体に記録されている情報に基づいて在室可能時間を算出し、
前記中央監視装置は、前記在室可能時間に基づいて警報を発する
ことを特徴とする入退室管理システム。
【請求項５】
請求項４記載の入退室管理システムにおいて、
前記記録媒体は、所持者の個人情報を記録し、
前記制御手段は、前記個人情報を参照して前記残留要素値および前記在室可能時間を算出する
ことを特徴とする入退室管理システム。
【発明の詳細な説明】
【０００１】
【発明の属する技術分野】
本発明は、ＩＣカードを利用した入退室管理システムに関し、特に在室時間を管理する必要があるエリアにおける入退室管理システムに関する。
【０００２】
【従来の技術】
近年、ＩＣカード等の情報記録媒体の技術の発達に伴い、これらを利用した入退室管理システムが提案されている（例えば特開平１１−１９１１８８号公報参照）。この入退室管理システムでは、ＩＣカードを識別子として単に入室を管理するだけでなく、在室制限時間、在室期限時間または在室可能人数を設定することにより、その部屋の在室状態を管理する。例えば管理対象エリアが冷凍庫であるとすると、そのエリアごとに在室制限時間を設定しておき、この在室制限時間を越えても在室している入室者がいる場合には、入退出管理システムは、異常と見なし、ブザーを鳴動させてオペレータに知らせ、場合によっては警備会社に通報する。なお、在室可能人数を設定した場合も、上設定された人数を超える入室があった場合には、ブザーの鳴動等により異常を通報する。
【０００３】
【発明が解決しようとする課題】
一方、管理対象エリアが例えば放射線、ガスまたは高気圧など特殊環境（このような環境を有するエリアを「クリティカルエリア」という）で、時間をパラメータとしてその環境が人体に与える影響が変化する場合、個々の入室者の現在および過去における在室時間の管理が必要である。しかし、従来の入退出管理システムは、在室制限時間または在室可能人数といった入退室管理対象となっている部屋における現在の状況の管理しかできなかったため、個々の入室者は、過去の入室時間およびこの入室時からの経過時間などを参照して個人の入室履歴や在室時間等を自分で管理せざるを得なかった。
【０００４】
本発明は、上述したような課題を解決するためになされたものであり、部屋や建物等の現在の状況のみならず、個々の入室者ごとに入退室管理対象エリアから入知る者が受ける影響を考慮して入退室を管理することができる入退室管理システムを提供することを目的とする。
【０００５】
【課題を解決するための手段】
上述したような課題を解決するために本発明にかかる入退室管理システムは、所定の環境を有するエリアへの入退室を管理する入退室管理システムにおいて、所持者の各種情報を記録する記録媒体と、この記録媒体に情報を読み書きするリーダライタと、このリーダライタが記録媒体より読み出した情報に基づいて、時間とともに所定の環境への暴露によって増大し隔離によって時間とともに減少する残留要素値を算出し、この値に基づいて所持者のエリアへの入室の可否を判定する判定手段とを備えたことを特徴とする。この入退室管理システムによれば、制御手段は、記録媒体の所持者ごとに残留要素値を算出する。なお、この残留要素値とは、例えば放射線、ガス、高圧などの特定の体外環境により、呼吸、皮膚接触、圧力などによって体内に影響を与え、かつ時間とともにその影響が減衰する数値化可能な値のことを意味する。また、所持者の「各種情報」とは、個人を識別するＩＤ、入退室の時刻、入退室時における残留要素値および後述する個人情報等を意味する。また、残留要素値を算出する基となる「情報」とは、入退室の時刻、入退室時における残留要素値および後述する個人情報等を意味する。
【０００６】
上記入退室管理システムにおいて、所持者のエリアへの入室を許可すると、判定手段が算出した残留要素値と所持者の入室時刻とをリーダライタが記録媒体に書き込むとともに、エリアの入口の扉を解錠する制御手段をさらに備えるようにしてもよい。この入退室管理システムによれば、入室を許可された個人が所持する記録媒体には、入室時刻とこの入室時における残留要素値が書き込まれる。
【０００７】
上記入退室管理システムにおいて、制御手段は、所持者がエリアから退室する際、リーダライタが記録媒体より読み出した情報に基づいて残留要素値を算出し、この残留要素値と退室時刻とを室内のリーダライタが記録媒体に書き込むとともに、エリアの出口の扉を解錠するようにしてもよい。この入退室管理システムによれば、退出する個人が所持する記録媒体には、退室時刻とこの退室時の残留要素値が書き込まれる。
【０００８】
上記入退室管理システムにおいて、制御手段を管理する中央監視装置をさらに備え、制御手段は、記録媒体の所持者が入室する際、記録媒体に記録されている情報に基づいて在室可能時間を算出し、中央監視装置は、在室可能時間に基づいて警報を発するようにしてもよい。本発明において、警報は、エリア内部または外部のいずれに発してもよい。
【０００９】
上記入退室管理システムにおいて、記録媒体は、所持者の個人情報を記録し、制御手段は、個人情報を参照して残留要素値および在室可能時間を算出するようにしてもよい。個人情報とは、例えば、年齢、性別、体重などの個人により異なる情報である。
【００１０】
【発明の実施の形態】
以下、図面を参照して、本発明の実施の形態について詳細に説明する。図１は、本実施の形態の入退出管理システムの構成を示すブロック図である。この入退出管理システムは、カードリーダライタ１と、制御装置２と、中央監視装置３とから構成される。
なお、図１において、制御装置２およびカードリーダライタ１は１つしか図示されていないが、中央監視装置３は、複数の制御装置２およびカードリーダライタ１を管理することができる。
【００１１】
カードリーダライタ１は、中央監視装置３が監視するクリティカルエリアの出入り口の内側および外側に設置され、電磁結合等によるＩＣカードの読み書き動作の制御を行う制御部１ａと、現在時刻、在室可能時刻等の各種情報を表示する表示部１ｂと、パスワード等の操作入力等を検出する操作部１ｃと、制御部１ａによる制御のもと、ＩＣカードと各種情報の読み書きをするＩ／Ｆ部１ｄとから構成される。このようなカードリーダライタ１は、入室者がＩＣカードの種類に応じて、Ｉ／Ｆ部１ｄにＩＣカードをかざす（非接触式）または挿入する（接触式）等の操作を行うと、ＩＣカードに記録されている入室者のＩＤ、性別、体重、入室時間、退室時間、残留要素値等の情報を読み込み、またＩＣカードに残留要素値、入室時間、退室時間等の情報を書き込む。また、カードリーダライタ１は、制御装置２の指示に基づいて、表示部１ｂに入室時間、退室時間、残留要素値、在室可能時間、現在時刻等の各種情報を表示する。
【００１２】
制御装置２は、中央監視装置３の監視対象となる部屋または建物等のクリティカルエリアに対応して配設されている。各制御装置２は、プログラムにしたがってカードリーダライタ１を介して読み込んだＩＣカードの情報に基づいて種々の演算を行い、ＩＣカードの所持者の入退室の可否を判断する判定手段として機能するとともに、この判断結果に基づいてクリティカルエリアの出入り口の扉の施錠または解錠する制御手段として作用する。この際、制御装置２は、判断結果および演算結果を中央監視装置３に送出する。
【００１３】
中央監視装置３は、監視対象となる全ての部屋または建物等のクリティカルエリアおよびこのような監視対象に入室する入室者全てを監視する監視装置である。このような中央監視装置３は、それぞれのクリティカルエリアに対応して配設されている制御装置２と通信回線を介して接続されており、入室者全ての履歴を蓄積する。また、中央監視装置３は、個々の入室者の在室可能時間を監視しており、在室可能時間を超過すると、在室可能時間を超過した入室者が入室しているクリティカルエリアに配設されているサイレン等の警報機を鳴動させたり、中央監視装置３のオペレータまたは警備会社等に警報を通知する。
【００１４】
次に、図２を参照して、本実施の形態の入退出管理システムの入退室の管理について説明する。図２は、本発明の入退出管理システムの概略図である。
中央監視装置３が監視するクリティカルエリアには、入口１２および出口１３が設けられており、それぞれに入室者のＩＣカード１１に情報を読み書きするカードリーダライタ１−１、１−２が配設されている。入口１２および出口１３の施錠および解錠は、カードリーダライタ１−１、１−２が読み出した情報に基づいて、制御装置２により行われる。
なお、図２において、入口１２と出口１３が別々に設けられているが、これらの入口１２および出口１３は、例えば出入り口とすることにより、１つにしてもよい。
【００１５】
中央監視装置３が監視するクリティカルエリアに入室する場合、入室者は、ＩＣカード１１を入口１２に配設されているカードリーダライタ１−１にかざすことにより、カードリーダライタ１−１にＩＣカード１１に記録されている情報を読み出させる。入室者が所持するＩＣカード１１は、公知のＩＣカードから構成され、このＩＣカード１１のメモリには、所持者のＩＤ、性別、体重などの個人情報とともに、前回の退室時の残留要素値と退室時刻等が記録されている。
なお、本実施の形態において、カードリーダライタ１は、カードリーダライタ１にＩＣカード１１をかざすとＩＣカード１１に記録されている情報を読み出すようにしたが、カードリーダライタ１にＩＣカード１１を挿入することにより、ＩＣカード１１に記録されている情報を読み出すようにしてもよい。
【００１６】
制御装置２は、カードリーダライタ１−１が読み出した前回の残留要素値および退室時刻と現在時刻とからクリティカルエリア外で減少した現時点での残留要素値を演算し、この演算結果に基づいて在室可能時間を算出し、表示部１ｂに表示する。これにより、入室者は、在室可能時間を確認することができる。
また、制御装置２は、カードリーダライタ１−１を介してＩＣカード１１に現時点での残留要素値と入室時刻を書き込み、これらの情報と在室可能時間を中央監視装置３に送出し、入口１２の電気錠を解錠する。この際、算出した在室可能時間が所定の値に達していない場合、制御装置２は、入口１２の電気錠を解錠しない。
【００１７】
中央監視装置３が監視するクリティカルエリアから退出する場合、入室者は、ＩＣカード１１を出口１３に配設されているカードリーダライタ１−２にかざすことにより、カードリーダライタ１−２にＩＣカード１１に記録されている情報を読み出させる。入室者が所持するＩＣカード１１には、個人情報とともに入室時刻と入室時の残留要素値が記録されている。制御装置２は、カードリーダライタ１−２を介して読み込んだ入室時の残留要素値および入室時刻と現在時刻から、クリティカルエリア内で蓄積加算された現時点での残留要素値を演算し、ＩＣカード１１に現時点での残留要素値と退室時刻を書き込み、これらの情報を中央監視装置３に送出し、出口１３の電気錠を解錠する。
【００１８】
なお、中央監視装置３は、入室する際に算出した在室可能時間を越えても、入室者が退出しない場合、入室者が在室しているクリティカルエリアに配設されているサイレン等の警報機を鳴動させたり、中央監視装置３のオペレータまたは警備会社等に警報を通知する。
【００１９】
次に、図１〜図３を参照して、本実施の形態の入退出管理システムの動作について説明する。図３は、本発明の入退出管理システムの動作を示すフローチャートである。
【００２０】
制御装置２は、入室者がＩＣカード１１を入口１２側に設けられたカードリーダライタ１−１にかざす等の入室操作を検出すると（ステップＳ３０１）、カードリーダライタ１−１を介して読み込んだＩＣカード１１に記録されている個人情報、残留要素値および退出時間と現在時刻から入室可能時間および残留要素値を算出する（ステップＳ３０２）。この際、制御装置２は、ＩＣカード１１に記録されている入室者の年齢、性別、体重、身体能力等の個人情報を加味して、入室可能時間および残留要素値を算出する。これにより、本実施の形態の入退室管理システムは、詳細な残留要素値および在室可能時間を算出することができ、入室者それぞれに対応した厳密な管理することが可能となる。
【００２１】
算出した在室可能時間が制御装置２に予め設定されている値以下の場合（ステップＳ３０３：ＹＥＳ）、制御装置２は、表示部１ｂに入室を拒否する旨を表示すると共に、入口１２を解錠しない（ステップＳ３１２）。
【００２２】
算出した在室可能時間が制御装置２に予め設定されている値を超えている場合（ステップＳ３０３：ＮＯ）、制御装置２は、カードリーダライタ１−１を介して算出した在室可能時間と残留要素値をＩＣカード１１に書き込み、表示部１ｂに在室可能時間を表示し、入口１２を解錠する（ステップＳ３０５）。また、制御装置２は、ＩＣカード１１に書き込んだ情報と同じ情報を中央監視装置３に送出する。すると、中央監視装置３は、在室可能時間のカウントダウンを開始する（ステップＳ３０６）。
【００２３】
中央監視装置３のカウントが０になる前に（ステップＳ３０７：ＮＯ）、入室者がＩＣカード１１を出口１３側に設けられたカードリーダライタ１−２にかざす等の退出操作を検出すると（ステップＳ３０８：ＮＯ）、制御装置２は、カードリーダライタ１−２を介して読み込んだＩＣカード１１に記録されている残留要素値および入室時刻と現在時刻から残留要素値を算出し（ステップＳ３０９）、この残留要素値と退出時刻をＩＣカードに書き込む（ステップＳ３１０）。また、制御装置２は、算出した残留要素値と退出時間を、中央監視装置３に送出する。すると、制御装置２は、出口１３を解錠する（ステップＳ３１１）。
【００２４】
中央監視装置３は、入室者が在室可能時間が０となっても退出しない場合（ステップＳ３０７：ＹＥＳ）、監視対象となっているクリティカルエリアに設けられているサイレン等の警報機を鳴動させる、中央監視装置３のオペレータに通知するまたは警備会社に通報するなどの警報通知を行う（ステップＳ３１３）。この警報通知は、ステップＳ３０７，３１３，３０８で形成されるループを循環することにより、利用者が出口１３側に設けられたカードリーダライタ１−２にＩＣカード１１を読み込ませる等の退出操作を検出するまで行われる。
退出操作を検出すると（ステップＳ３０８：ＹＥＳ）、制御装置２は、上述したステップＳ３０９以降の動作を行う。
【００２５】
次に、図４を参照して、中央監視装置３に記録される個人の履歴について説明する。図４は、中央監視装置３に記録される履歴の一例を示す概略図である。
【００２６】
中央監視装置３に記録される履歴には、氏名、入室した部屋、入室時刻、入室時の残留要素値、退室時刻、退室時の残留要素値および在室可能時間等が記録される。図４において、現在、山武太郎、佐藤一郎および山田三郎の３氏は、中央監視装置３が監視するクリティカルエリアに在室しており、山武花子および鈴木次郎の２氏は、退室している状態である。
【００２７】
中央監視装置３は、現在入室している山武太郎、佐藤一郎および山田三郎の在室可能時間を監視しており、在室可能時間が０になると、在室可能時間が０になった入室者のクリティカルエリアのサイレン等の警報機を鳴動させる、中央監視装置３のオペレータに通知するまたは警備会社に通報するなどの警報通知を行う。このように、本実施の形態の入退室管理システムは、個々の入室者を管理し、かつ異常が発生した場合には第３者に警報を通知することができるので、クリティカルエリアへの入室者にとってより安全なシステムを提供することができる。
【００２８】
また、中央監視装置３は、個々の入室者のクリティカルエリアへの入退室等の履歴を長期的に蓄積することもできる。この履歴は、個々の入室者の健康管理のためのデータとして用いることもできる。
【００２９】
なお、本実施の形態において、制御装置２が残留要素値等の演算を行うと説明したが、これらの各種演算を中央監視装置３またはＩＣカード１１にさせるようにしてもよい。ＩＣカード１１の場合は、ＩＣカード１１にＣＰＵを搭載し、現在時刻を例えばカードリーダライタ１を介してＩＣカード１１に送信することにより、残留要素値の算出等の各種演算をすることが可能となる。これにより、中央監視装置３および制御装置２を客先によりカスタマイズする必要がなくなるので、低コストで入退室管理システムの構築を実現することができる。
また、本実施の形態において、情報記録媒体としてＩＣカードを適用したが、情報の読み書きができるなら、本実施の形態に適用できる情報記録媒体は、ＩＣカードに限定されず、必要に応じて自由に変更することができる。
【００３０】
また、本実施の形態において、中央監視装置３は、ＩＣカード１１の所持者の入室時に、単純にカウントダウンを行い、所定の時間経過しても退室しない場合、警告を発するようにしてもよい。
さらに、本実施の形態において、本発明の入退室管理システムは、クリティカルエリアのみならず、フレックス勤務における規定勤務時間を満たしているか否かの確認のために用いることもできる。この場合、カードリーダライタ１を、建物等の入退館部や出入り口等に設け、ＩＣカード１１を出勤および退勤時にカードリーダライタ１に読み込ませることにより、中央監視装置３は、ＩＣカード１１の保持者の勤務体系を管理することができる。
【００３１】
また、本実施の形態において、ＩＣカード１１にＩＤ、性別、体重、残留要素値、入室時刻、退出時刻等の情報を記録するように説明したが、例えば、ＩＣカード１１に個人を識別するＩＤだけを記録し、残留要素値等の情報は中央監視装置３が記録するなど、ＩＣカード１１に記録する情報は、必要に応じて自由に変更することができる。
【００３２】
【発明の効果】
以上、説明したように本発明によれば、入室者ごとに残留要素値を算出し、この値に基づいてクリティカルエリアへの入室の可否を判断するので、個々の入室者ごとにクリティカルエリアへの入退室の管理を行うことができる。
また、本発明によれば、入室者ごとに在室可能時間を算出し、この値が所定の値になると該当する入室者または第３者に警報を発するので、残留要素値を所定の値以下に抑えることが可能となり、個々の入室者を安全に管理することができる。
さらに、本発明によれば、個々の入室者の個人情報に基づいて残留要素値および在室可能時間を算出するので、詳細な残留要素値および在室可能時間を算出することができる。
【図面の簡単な説明】
【図１】本実施の形態の入退出管理システムの構成を示すブロック図である。
【図２】本発明の入退出管理システムの概念を示す概略図である。
【図３】本発明の入退出管理システムの動作を示すフローチャートである。
【図４】中央監視装置３に記録される履歴の一例を示す概略図である。
【符号の説明】
１…中央監視装置、２…制御装置、３…カードリーダライタ、３−１…カードリーダライタ（入口側）、３−２…カードリーダライタ（出口側）、３ａ…制御部、３ｂ…表示部、３ｃ…操作部、１１…ＩＣカード、１２…入口、１３…出口。
【図１】
2004005134.tif 000003
【図２】
2004005134.tif 000004
【図３】
2004005134.tif 000005
【図４】
2004005134.tif 000006